(57)【特許請求の範囲】
【請求項１】
天井と壁とが交わる境界部分に沿って取着される細長のモジュール本体と、
当該モジュール本体の内部に収納されて電力供給と情報信号の伝達を行うための電線と、
前記モジュール本体の内部位置であって、モジュール本体における室内側の表面に設けられた開口部に臨む位置に収納されたゲート装置とを備え、
ゲート装置の前面には、電力供給用の前記電線に電気的に接続される電力路接続口と、情報信号を伝送するための前記電線に電気的に接続される情報路接続口とが設けられ、
ゲート装置は、電力路接続口及び情報路接続口に着脱自在に接続される被接続部を具備した機能モジュールに対して、電源の供給及び情報信号の授受を行い、
前記電力路接続口及び前記情報路接続口には機能モジュールの被接続部が着脱自在に接続されるとともに、前記電力路接続口及び前記情報路接続口は複数種類の機能モジュールが接続可能なように定形化されており、
前記ゲート装置に前記機能モジュールが取り付けられると、前記電力路接続口及び前記情報路接続口が前記被接続部に接続されて、電源の供給と情報信号の授受とが同時に確立することを特徴とする天井配線モジュール。
【請求項２】
前記モジュール本体は、天井と壁との境界部分に沿う連設方向の両端部に、当該モジュール本体に収納された電線を、当該モジュール本体に対して前記連設方向に並べて連設された他のモジュール本体の電線に接続するためのコネクタを備え、複数のモジュール本体を入替可能な状態で連結したことを特徴とする請求項１記載の天井配線モジュール。
【請求項３】
前記電線が、電源供給のための電力線と、情報信号を伝送するための情報線とで構成されることを特徴とする請求項１又は２の何れかに記載の天井配線モジュール。
【請求項４】
前記電線が電源供給のための電力線からなり、前記電力線を介して電力線搬送通信により情報信号が伝達されることを特徴とする請求項１又は２の何れかに記載の天井配線モジュール。
【請求項５】
天井と壁とが交わる境界部分に沿って取着される細長のモジュール本体と、当該モジュール本体の内部に収納されて電力供給と情報信号の伝達を行うための電線と、前記モジュール本体の内部位置であって、モジュール本体における室内側の表面に設けられた開口部に臨む位置に収納されたゲート装置とを備え、ゲート装置の前面に、電力供給用の前記電線に電気的に接続される電力路接続口と、情報信号を伝送するための前記電線に電気的に接続される情報路接続口とが設けられた天井配線モジュールと、
電力路接続口及び情報路接続口に着脱自在に接続される被接続部を具備し、ゲート装置を介して電源の供給及び情報信号の授受を行う機能モジュールとを備え、
ゲート装置の前記電力路接続口及び前記情報路接続口は、複数種類の機能モジュールが接続可能なように定形化され、
機能モジュールの被接続部は、電力路接続口及び情報路接続口に対応して定形化され、機能モジュールの背面部に具備されており、
前記ゲート装置に前記機能モジュールが取り付けられると、前記電力路接続口及び前記情報路接続口が前記被接続部に接続されて、電源の供給と情報信号の授受とが同時に確立することを特徴とする配線システム。
【請求項６】
前記モジュール本体は、天井と壁との境界部分に沿う連設方向の両端部に、当該モジュール本体に収納された電線を、当該モジュール本体に対して前記連設方向に並べて連設された他のモジュール本体の電線に接続するためのコネクタを備え、複数のモジュール本体が入替可能な状態で連結されたことを特徴とする請求項５記載の配線システム。
【請求項７】
前記電線が、電源供給のための電力線と、情報信号を伝送するための情報線とで構成されることを特徴とする請求項５又は６の何れかに記載の配線システム。
【請求項８】
前記電線が電源供給のための電力線からなり、前記電力線を介して電力線搬送通信により情報信号が伝達される請求項５又は６の何れかに記載の配線システム。
【発明の詳細な説明】
【技術分野】
【０００１】
本発明は、天井配線モジュール及び配線システムに関するものである。
【背景技術】
【０００２】
従来の屋内配線では、建物の壁の裏側に電気配線を先行配線しておき、壁の要所に設けたスイッチボックスまで電気配線を導入していた。そして、コンセントやスイッチなどの埋込型配線器具を配設する際には、スイッチボックスから引き出した電気配線を埋込型配線器具の端子部に接続した後、配線器具用に規格化された取付枠を用いて配線器具をスイッチボックスに埋込配設していた（例えば特許文献１参照）。
【０００３】
またセンサやカメラなどの天井取付用機器の場合は、天井の要所に予め設置した取付ベースに、電力線或いは情報線を配線しておき、この取付ベースに天井取付用機器を取り付けて、使用するようになっていた。
【０００４】
また従来より、室内の壁面から天井面にかけて配線ダクトを設け、この配線ダクトに熱線センサや照明器具を取り付けると、配線ダクトを介して熱線センサや照明器具に電源が供給されて動作するような配線システムも提供されていた。
【特許文献１】特開２００１−３７０３７号公報（段落［０００２］、及び、第１３図）
【特許文献２】特開平１１−６７０２７号公報（段落［０００９］〜［００１５］、及び、第１図）
【発明の開示】
【発明が解決しようとする課題】
【０００５】
上述のように従来の天井取付用機器は、取付ベースが予め設置された場所にしか取り付けることができず、天井取付用機器の設置位置に制約があり、設置位置の変更に容易に対応できないという問題があった。
【０００６】
また後者の配線システムでは、配線ダクトの設置位置が、この配線ダクトに取り付ける照明器具の照明範囲やセンサの検知エリアによって決定されるため、配線ダクトを天井の中央付近に設ける必要があり、配線ダクトが目立って室内の美観が損なわれるという問題もあった。
【０００７】
本発明は上記問題点に鑑みて為されたものであり、その目的とするところは、機能装置部の設置位置の自由度が高く且つ設置位置の変更に容易に対応でき、さらに室内の美観を損なうことがない天井配線モジュール及び配線システムを提供することにある。
【課題を解決するための手段】
【０００８】
上記目的を達成するために、請求項１の発明は、天井と壁とが交わる境界部分に沿って取着される細長のモジュール本体と、当該モジュール本体の内部に収納されて電力供給と情報信号の伝達を行うための電線と、モジュール本体の内部位置であって、モジュール本体における室内側の表面に設けられた開口部に臨む位置に収納されたゲート装置とを備え、ゲート装置の前面には、電力供給用の電線に電気的に接続される電力路接続口と、情報信号を伝送するための電線に電気的に接続される情報路接続口とが設けられ、ゲート装置は、電力路接続口及び情報路接続口に着脱自在に接続される被接続部を具備した機能モジュールに対して、電源の供給及び情報信号の授受を行い、電力路接続口及び情報路接続口には機能モジュールの被接続部が着脱自在に接続されるとともに、電力路接続口及び情報路接続口は複数種類の機能モジュールが接続可能なように定形化されており、ゲート装置に機能モジュールが取り付けられると、電力路接続口及び情報路接続口が被接続部に接続されて、電源の供給と情報信号の授受とが同時に確立することを特徴とする。
【００１０】
請求項２の発明は、請求項１の発明において、モジュール本体は、天井と壁との境界部分に沿う連設方向の両端部に、当該モジュール本体に収納された電線を、当該モジュール本体に対して連設方向に並べて連設された他のモジュール本体の電線に接続するためのコネクタを備え、複数のモジュール本体を入替可能な状態で連結したことを特徴とする。
【００１４】
請求項３の発明は、請求項１又は２の何れかの発明において、電線が、電源供給のための電力線と、情報信号を伝送するための情報線とで構成されることを特徴とする。
【００１５】
請求項４の発明は、請求項１又は２の何れかの発明において、電線が電源供給のための電力線からなり、電力線を介して電力線搬送通信により情報信号が伝達されることを特徴とする。
【００１６】
請求項５の発明は、配線システムの発明であり、天井と壁とが交わる境界部分に沿って取着される細長のモジュール本体と、当該モジュール本体の内部に収納されて電力供給と情報信号の伝達を行うための電線と、モジュール本体の内部位置であって、モジュール本体における室内側の表面に設けられた開口部に臨む位置に収納されたゲート装置とを備え、ゲート装置の前面に、電力供給用の電線に電気的に接続される電力路接続口と、情報信号を伝送するための電線に電気的に接続される情報路接続口とが設けられた天井配線モジュールと、電力路接続口及び情報路接続口に着脱自在に接続される被接続部を具備し、ゲート装置を介して電源の供給及び情報信号の授受を行う機能モジュールとを備え、ゲート装置の電力路接続口及び情報路接続口は、複数種類の機能モジュールが接続可能なように定形化され、機能モジュールの被接続部は、電力路接続口及び情報路接続口に対応して定形化され、機能モジュールの背面部に具備されており、ゲート装置に機能モジュールが取り付けられると、電力路接続口及び情報路接続口が被接続部に接続されて、電源の供給と情報信号の授受とが同時に確立することを特徴とする。
請求項６の発明は、請求項５の発明において、モジュール本体は、天井と壁との境界部分に沿う連設方向の両端部に、当該モジュール本体に収納された電線を、当該モジュール本体に対して連設方向に並べて連設された他のモジュール本体の電線に接続するためのコネクタを備え、複数のモジュール本体が入替可能な状態で連結されたことを特徴とする。
請求項７の発明は、請求項５又は６の何れかの発明において、電線が、電源供給のための電力線と、情報信号を伝送するための情報線とで構成されることを特徴とする。
請求項８の発明は、請求項５又は６の何れかの発明において、電線が電源供給のための電力線からなり、電力線を介して電力線搬送通信により情報信号が伝達されることを特徴とする。
【発明の効果】
【００１７】
請求項１の発明によれば、モジュール本体の内部には、電力供給と情報信号の伝達を行うための電線が収納されるとともに、モジュール本体における室内側の表面に設けられた開口部に臨む位置にゲート装置が収納され、ゲート装置の前面には、所定の機能を有し電線を介して電源の供給と情報信号の授受を行う機能モジュールが設けられているので、モジュール本体を所望の位置に取り付けることで機能モジュールを所望の位置に配置して使用することができ、機能モジュールの設置位置の自由度が向上するとともに、設置位置の変更にも容易に対応することができる。しかもモジュール本体は、天井と壁とが交わる境界部分に取着されるので、モジュール本体が天井の中央に設置される場合のようにモジュール本体が目立つことはなく、天井の隅や角部などにモジュール本体を設置することで、モジュール本体を目立ちにくくして、室内の美観を損なうことがない。
【００１９】
請求項２の発明によれば、モジュール本体には、内部に収納した電線を他のモジュール本体に収納された電線に接続するためのコネクタが連設方向の両端部に設けられているので、連設方向に沿って複数のモジュール本体を連設することにより、各モジュール本体のコネクタを介して内部の電線を電気的に接続することができ、そのうえモジュール本体の接続位置を入れ替えることで、機能モジュールを所望の位置に配置することができる。
【００２３】
請求項３の発明によれば、電力線と情報線とを用いて電力の供給と情報信号の伝送とを行うことができる。
【００２４】
請求項４の発明によれば、電力線で情報線を兼用しているので、電線の本数を減らして、配線施工を簡略化することができる。
【００２５】
請求項５の発明によれば、モジュール本体の内部には、電力供給と情報信号の伝達を行うための電線が収納されるとともに、モジュール本体における室内側の表面に設けられた開口部に臨む位置にゲート装置が収納され、ゲート装置の前面には、所定の機能を有し電線を介して電源の供給と情報信号の授受を行う機能モジュールが設けられているので、モジュール本体を所望の位置に取り付けることで機能モジュールを所望の位置に配置して使用することができ、機能モジュールの設置位置の自由度が向上するとともに、設置位置の変更にも容易に対応可能な配線システムを実現できる。しかもモジュール本体は、天井と壁とが交わる境界部分に取着されるので、モジュール本体が天井の中央に設置される場合のようにモジュール本体が目立つことはなく、天井の隅や角部などにモジュール本体を設置することで、モジュール本体を目立ちにくくして、室内の美観を損なうことがない。
請求項６の発明によれば、モジュール本体には、内部に収納した電線を他のモジュール本体に収納された電線に接続するためのコネクタが連設方向の両端部に設けられているので、連設方向に沿って複数のモジュール本体を連設することにより、各モジュール本体のコネクタを介して内部の電線を電気的に接続することができ、そのうえモジュール本体の接続位置を入れ替えることで、機能モジュールを所望の位置に配置することができる。
請求項７の発明によれば、電力線と情報線とを用いて電力の供給と情報信号の伝送とを行うことができる。
請求項８の発明によれば、電力線で情報線を兼用しているので、電線の本数を減らして、配線施工を簡略化することができる。
【発明を実施するための最良の形態】
【００２６】
以下に本発明の実施の形態を図面に基づいて説明する。
【００２７】
（実施形態１）
本発明の実施形態１を図１〜図９に基づいて説明する。尚、以下の説明では、特に断りがないかぎり、図２（ａ）の向きにおいて上下左右の方向を規定し、図２（ａ）における正面を前面という。したがって、図２（ｂ）における右端は後端になる。
【００２８】
本実施形態の天井配線モジュールＡの分解斜視図を図１に、正面図を図３にそれぞれ示す。この天井配線モジュールＡは、室内の天井と壁とが交わる境界部分に取着される廻り縁のような細長のモジュール本体１を備え、このモジュール本体１の内部に電力線Ｌ１および情報線Ｌ２を長手方向（つまり天井と壁との境界部分に沿った連設方向）に沿ってそれぞれ収納してある。
【００２９】
そして、図１及び図２（ａ）（ｂ）に示すようにモジュール本体１の長手方向一端側には角柱状の嵌合凸部２Ａ，２Ｂを突設してあり、各嵌合凸部２Ａ，２Ｂには電力線Ｌ１および情報線Ｌ２にそれぞれ電気的に接続された接続端子４Ａ，５Ａを配置してある。またモジュール本体１の長手方向他端側には、別のモジュール本体１に設けた上記嵌合凸部２Ａ，２Ｂが凹凸嵌合する嵌合凹部３Ａ，３Ｂが設けられ、各嵌合凹部３Ａ，３Ｂの内部には電力線Ｌ１および情報線Ｌ２にそれぞれ電気的に接続されるとともに、嵌合凸部２Ａ，２Ｂの接続端子４Ａ，５Ａにそれぞれ接続される接続端子４Ｂ，５Ｂを配設してある。ここに、嵌合凸部２Ａ，２Ｂ及び嵌合凹部３Ａ，３Ｂの形状、寸法および内部に設けた接続端子４Ａ，４Ｂ，５Ａ，５Ｂの配列はシステムとして定形化（規格化）してあるので、複数本のモジュール本体１を長手方向に連結して使用することができ、また連結して使用されている複数本のモジュール本体１の順番を入れ替えることも可能である。
【００３０】
さらに、モジュール本体１の室内側の表面には、横長の開口１ａが長手方向略中央に形成され、モジュール本体１の内部位置であって開口１ａに臨む位置にはゲート装置Ｂを収納してある（図１及び図２（ａ）参照）。このゲート装置Ｂは、モジュール本体１内に収納された電線（電力線Ｌ１および情報線Ｌ２からなる）を後述の機能モジュールＣに接続するためのもので、ゲート装置Ｂの背面には電力線Ｌ１および情報線Ｌ２がそれぞれ接続される速結端子構造の端子部（図示せず）が設けられ、前面には端子部を介して電力線Ｌ１に電気的に接続される接触部を備えた電力路接続口６Ａと、端子部を介して情報線Ｌ２に電気的に接続される接触部を備えた情報路接続口６Ｂとが設けられている（図４参照）。ここに、ゲート装置Ｂと機能モジュールＣとで機能装置部が構成される。
【００３１】
機能モジュールＣの器体７は略直方体状であって、器体７の内部には図５に示す回路を内蔵してある。器体７の後部の左右方向寸法および上下方向寸法はそれぞれモジュール本体１の開口１ａに比べて若干小さめに形成してあり、器体７の前端部の周縁からは側方に向かって突出する鍔部８が一体に形成されている。また器体７の背面部には、ゲート装置Ｂの電力路接続口６Ａおよび情報路接続口６Ｂにそれぞれ対応して被接続部たるコネクタ部１０Ａ，１０Ｂを設けてある。なお、機能モジュールＣが、負荷への電力供給又は情報信号の伝達の何れか一方のみを行う場合は、電力路接続口６Ａに接続されるコネクタ部１０Ａ、又は、情報路接続口６Ｂに接続されるコネクタ部１０Ｂの内、何れか必要な方のみを設けておけば良い。
【００３２】
この器体７をモジュール本体１に取り付ける際には、器体７の後部を開口１ａ内に挿入して、ゲート装置Ｂの各接続口６Ａ，６Ｂにコネクタ部１０Ａ，１０Ｂを接続すると、鍔部８の背面が開口１ａの周縁部に当接するとともに、器体７の側面に設けた取付爪９が開口１ａの周縁部の後面と係合する。このとき、取付爪９と鍔部８との間にモジュール本体１の前面が挟持されるので、機能モジュールＣの器体７をモジュール本体１に取り付けることができる。なお各接続口６Ａ，６Ｂの形状、寸法および内部に設けた接触部の配列はシステムとして定形化（規格化）してあり、各接続口６Ａ，６Ｂに対応して機能モジュールＣの背面部に設けたコネクタ部１０Ａ，１０Ｂもその形態を定形化してあるので、コネクタ部１０Ａ，１０Ｂを各接続口６Ａ，６Ｂに着脱自在に接続することによって、機能モジュールＣを何れのゲート装置Ｂ（モジュール本体１）に対しても着脱自在に取着できるようになっている。
【００３３】
ここで、本実施形態の機能モジュールＣは例えば撮影対象領域を撮影するカメラ機能を有しており、前面側に半球状の透明なカバー６１が取着された略球状の回転体６０が、器体７前面の窓孔７ａから回転体６０の前面側を露出させた状態で、器体７に対して回転自在に枢支されており、この回転体６０の内部にカメラ１６ｃを収納してある。回転体６０には、器体７の内部に設けた軸受部に枢支される軸部（図示せず）が形成されており、この軸部の周りに回転体６０を回転させることで、モジュール本体１に対する機能部（すなわちカメラ１６ｃ）の取付角度を調整できるようになっており、カメラ１６ｃの向きを調整することで、所望の領域の映像を撮影することができるようになっている。
【００３４】
ここに、回転体６０などから、機能モジュールＣが備える機能部のモジュール本体１に対する取付角度を調整する角度調整手段が構成される。したがって、機能モジュールＣの機能部が例えばカメラ機能やセンサ機能を備えている場合にセンサ機能の検知方向やカメラ機能の撮影角度を角度調整手段を用いて調整することによって、検知エリアや撮影エリアとは離れた場所にモジュール本体１を設置することができ、検知エリアや撮影エリアが部屋の任意の場所に設定される場合でもモジュール本体を天井の中央に設置する必要が無いから、部屋の美観を損ねることはなく、モジュール本体が目立たないように天井の隅や角部などにモジュール本体を設置しつつ、所望の機能を果たすことができる。
【００３５】
なお角度調整手段を上記の構成に限定する趣旨のものではなく、例えば図６（ｂ）に示すように器体７の前面に突設した支持台６２に、アーム６３を介して回動自在に取着されたケース部６４内にカメラ１６ｃを収納するようにしても良く、角度調整手段たるアーム６３を回動させることでカメラ１６ｃを所望の方向に向けることができる。なおケース部６４の前面には透明なカバー６４ａが取着されている。また角度調整手段を持たず、モジュール本体１に対する機能部１６の取付角度が固定の場合は、部屋内部の所定の場所で機能部１６の機能が得られるように、モジュール本体１に対する機能部１６の取付角度を設定すれば良く、機能部１６が例えばカメラ機能やセンサ機能を備えている場合にはセンサ機能の検知エリアやカメラ機能の撮影エリアが所望のエリアに設定されるように機能部１６の取付角度を設定してある。
【００３６】
次に機能モジュールＣの回路構成を図５（ａ）（ｂ）により説明する。この機能モジュールＣは、ゲート装置Ｂの電力路接続口６Ａに接続されるコネクタ部１０Ａを介して電力線Ｌ１に接続され、電力線Ｌ１を介して供給される商用電源を整流、平滑することにより、所定電圧値の直流電圧からなる内部回路の動作電源＋Ｖを得るＡＣ／ＤＣコンバータ部１２と、コネクタ部１０Ｂを介して接続される情報線Ｌ２を通じて情報信号を送受信する送受信部１３と、機能モジュールＣの種別に対応した機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とを備えており、機能モジュールＣの種類に応じて機能部１６の構成が異なるのである。ここで、本実施形態の機能モジュールＣは、上述のようにカメラ機能を有しており、その機能部１６は、図５（ｂ）に示すように、カメラ１６ｃと、カメラ１６ｃを駆動するカメラ駆動部１６ｂと、カメラ１６ｃの画像データを圧縮、符号化して得た映像データを出力する画像処理部１６ｄと、Ｉ／Ｏインタフェース１５を介して演算処理部１４から入力された制御信号に基づいてカメラ駆動部１６ｂの動作を制御するとともに、画像処理部１６ｄから入力された映像信号を情報信号としてＩ／Ｏインタフェース１５を介して演算処理部１４に出力するＣＰＵ部１６ａとで構成される。
【００３７】
而して機能モジュールＣの器体７をモジュール本体１の開口１ａに取着して、機能モジュールＣのコネクタ部１０Ａ，１０Ｂをゲート装置Ｂの各接続口６Ａ，６Ｂに接続すれば、ゲート装置Ｂを介して接続される電力線Ｌ１を通じて機能モジュールＣに電力が供給されるとともに、ゲート装置Ｂを介して接続される情報線Ｌ２を通じて機能モジュールＣが情報路に接続され、機能モジュールＣのカメラ１６ｃで撮影された映像信号が情報線Ｌ２を通じてモニタ機能を有する機能モジュール（図示せず）に送信されるので、モニタ側でカメラ１６ｃの映像をモニタすることができる。
【００３８】
なお上述の実施形態では、カメラ機能を有する機能モジュールＣを例に説明を行ったが、機能モジュールＣの機能をカメラ機能に限定する趣旨のものではなく、種々の機能を有する機能モジュールＣを使用することができる。ここで、情報線Ｌ２は複数種の機器に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置Ｂを介して機能モジュールＣに複数種類の情報信号を伝達することができるから、機能モジュールＣに多種多様な機能を持つ機能モジュールを使用でき、多種多様な機能をもつシステムを実現することができる。
【００３９】
例えば図５（ｃ）は人体検知機能を有するセンサ型の機能モジュールＣの機能部１６を示しており、検知領域内の人体から放射される熱線を検出するＰＩＲセンサ１６ｆと、ＰＩＲセンサ１６ｆの検出信号を信号処理することによって人の存否を検出する人体検知回路１６ｅと、人体検知回路１６ｅから入力される人体検知信号を、Ｉ／Ｏインタフェース１５を介して演算処理部１４に出力するＣＰＵ部１６ａとで構成される。また図６（ａ）はセンサ型の機能モジュールＣの外観斜視図を示しており、この機能モジュールＣでは、前面側に赤外線を透過する透光カバー６１’が取着された略球状の回転体６０が、器体７前面の窓孔７ａから回転体６０の前面側を露出させた状態で、器体７に対して回転自在に枢支されており、この回転体６０の内部にＰＩＲセンサ１６ｆを収納してある。回転体６０には、器体７の内部に設けた軸受部に枢支される軸部（図示せず）が形成されており、この軸部の周りに回転体６０を回転させることで、モジュール本体１に対する機能部（すなわちＰＩＲセンサ１６ｆ）の取付角度を調整できるようになっており、ＰＩＲセンサ１６ｆの向きを調整することで検知領域を調整することができる。
【００４０】
ところで、上述の天井配線モジュールＡでは、モジュール本体１の内部に収納したゲート装置Ｂに機能モジュールＣを接続し、ゲート装置Ｂを介して機能モジュールＣを電力線Ｌ１および情報線Ｌ２に接続しているが、ゲート装置Ｂを無くして、モジュール本体１に取着した機能モジュールＣに電力線Ｌ１および情報線Ｌ２を直接接続しても良い。またゲート装置Ｂに機能モジュールＣを接続する必要が無い場合には、モジュール本体１の開口１ａに目隠しプレート（図示せず）を取着して、開口１ａを閉塞しても良く、この場合天井配線モジュールＡは電力線Ｌ１および情報線Ｌ２の延長用として機能する。また図７に示すように上述の天井配線モジュールＡにおいて、ゲート装置Ｂを無くすとともに、開口１ａを閉塞して、内部に中継用電線（電力線Ｌ１及び情報線Ｌ２）を収納した形態の中継配線用モジュールＤを設けても良く、このような中継配線用モジュールＤを天井配線モジュールＡに連結して使用することで、電力線Ｌ１および情報線Ｌ２を延長することができる。
【００４１】
次に、上述の天井配線モジュールＡや中継配線用モジュールＤを用いた天井配線システムについて図７及び図８に基づいて説明する。上述のように天井配線モジュールＡおよび中継配線用モジュールＤは、モジュール本体１の長手方向一端側に嵌合凸部２Ａ，２Ｂが設けられるとともに、長手方向他端側には嵌合凹部３Ａ，３Ｂが設けられているので、複数の天井配線モジュールＡと中継配線用モジュールＤとを、天井１００と壁１０１とが交わる境界部分に並べて連結し、嵌合凸部２Ａ，２Ｂと嵌合凹部３Ａ，３Ｂとを凹凸嵌合させることによって、各モジュールＡ，Ｄに収納された電力線Ｌ１同士、情報線Ｌ２同士をそれぞれ電気的に接続することができる。そして、連設方向（天井１００と壁１０１との境界線に沿った方向）に並べて連結された複数の天井配線モジュールＡと中継配線用モジュールＤの内、一方の端にあるモジュール（図７の例では中継配線用モジュールＤ）にコンセント接続モジュールＥを接続し、他方の端にあるモジュール（例えば天井配線モジュールＡ）に端末モジュールＧを接続する。またモジュールＡ，Ｄ間又はモジュールＡ，Ａ間或いはモジュールＤ，Ｄ間を連結モジュールＦを介して接続することによって、隣接するモジュール同士が互いに直角に連結されるから、コーナ部を挟んで互いに直交する２つの壁１０１ａ，１０１ｂに各モジュールＡ，Ｄを配設することができ、天井１００の周縁部を周回するように全周に亘って天井配線モジュールＡおよび中継配線用モジュールＤを連設すると、部屋の隅々に電源ラインおよび情報ラインを配線でき、所望の場所に機能モジュールＣを設置して使用することができる。
【００４２】
ここで、コンセント接続モジュールＥは、図８（ａ）に示すようにモジュール本体１と上下方向寸法および厚み寸法が略同じ寸法に形成された器体１８を備えている。モジュール本体１と面接する器体１８の一側面には、モジュール本体１の嵌合凸部２Ａ，２Ｂと嵌合する嵌合凹部１９Ａ，１９Ｂが形成され、この嵌合凹部１９Ａ，１９Ｂの内部には、嵌合凸部２Ａ，２Ｂの接続端子４Ａ，５Ａに接続される接続端子２０，２１を配設してある。また器体１８の他方の側面からは接続端子２０，２１にそれぞれ電気的に接続された電源コード２２及びモジュラコード２４が導出され、各コード２２，２４の先端にはそれぞれ電源プラグ２３、モジュラコネクタ２５が接続されている。而して、モジュール本体１の一端側に設けた嵌合凸部２Ａ，２Ｂを嵌合凹部１９Ａ，１９Ｂと凹凸嵌合させることで、コンセント接続モジュールＥを天井配線モジュールＡ又は中継配線用モジュールＤに接続し、モジュール本体１内に収納された電力線Ｌ１および情報線Ｌ２をそれぞれ電源コード２２およびモジュラコード２４に電気的に接続することができる。そして、コンセント接続モジュールＥの電源プラグ２３及びモジュラコネクタ２５を、壁１０１ａに埋込配設された電源コンセント４１およびモジュラコンセント４２に接続することによって、壁１０１ａ，１０１ｂの裏側に先行配線された電力線および情報線に、天井配線モジュールＡおよび中継配線用モジュールＤ内部の電力線Ｌ１および情報線Ｌ２を接続することができる。
【００４３】
また、連結モジュールＦは、図８（ｂ）に示すように平面視の形状が略Ｌ字形に形成された器体２６を備え、器体２６の内部には電力線Ｌ１および情報線Ｌ２を収納してある。一方の側片２６ａの先端面には、モジュール本体１の嵌合凹部３Ａ，３Ｂに凹凸嵌合する角柱状の嵌合凸部２７Ａ，２７Ｂが突設されており、各嵌合凸部２７Ａ，２７Ｂには、嵌合凹部３Ａ，３Ｂ内に配設された接続端子４Ｂ，５Ｂと電気的に接続される接続端子２８，２９が配設されている。また他方の側片２６ｂの先端面には、モジュール本体１の嵌合凸部２Ａ，２Ｂが凹凸嵌合する嵌合凹部３０Ａ，３０Ｂが形成されており、各嵌合凹部３０Ａ，３０Ｂの内部には、接続端子２８，２９に電力線Ｌ１および情報線Ｌ２を介して電気的に接続されるとともに、嵌合凸部２Ａ，２Ｂの接続端子４Ａ，５Ａに電気的に接続される接続端子３１，３２が配設されている。而して、壁１０１ａに配設された天井配線モジュールＡ又は中継配線用モジュールＤの嵌合凹部３Ａ，３Ｂに嵌合凸部２７Ａ，２７Ｂを接続するとともに、壁１０１ｂに配設された天井配線モジュールＡ又は中継配線用モジュールＤの嵌合凸部２Ａ，２Ｂに嵌合凹部３０Ａ，３０Ｂを接続して、両モジュール間を連結モジュールＦを介して連結すると、各々のモジュールに収納された電力線Ｌ１，Ｌ１間が連結モジュールＦの電力線Ｌ１を介して電気的に接続されるとともに、各々のモジュールに収納されたに収納された情報線Ｌ２，Ｌ２間が連結モジュールＦの情報線Ｌ２を介して電気的に接続されるのである。
【００４４】
また更に、端末モジュールＧは、図８（ｃ）に示すようにモジュール本体１と上下方向寸法および厚み寸法が略同じ寸法に形成された器体３３を備え、モジュール本体１と面接する器体３３の一側面には、モジュール本体１の嵌合凹部３Ａ，３Ｂと嵌合する嵌合凸部３４Ａ，３４Ｂが形成されている。而して、モジュール本体１の嵌合凹部３Ａ，３Ｂに端末モジュールＧの嵌合凸部３４Ａ，３４Ｂを凹凸嵌合させることで、天井配線モジュールＡに対して端末モジュールＧを接続することができ、天井配線モジュールＡの嵌合凹部３Ａ，３Ｂを塞いで、嵌合凹部３Ａ，３Ｂ内の接続端子４Ｂ，５Ｂにゴミや埃などが付着するのを防止することができる。
【００４５】
以上説明したように複数の天井配線モジュールＡおよび中継配線用モジュールＤを直列に連結した状態で、天井１００と壁１０１ａ，１０１ｂとの境界部分に配設し、一方の端にある天井配線モジュールＡ又は中継配線用モジュールＤにコンセント接続モジュールＥを接続して、各モジュールＡ，Ｄに収納された電力線Ｌ１および情報線Ｌ２を壁内に先行配線された電力線および情報線に電気的に接続することができるから、壁１０１ａ，１０１ｂの所望の位置に機能モジュールＣを設けることができ、機能モジュールＣの設置位置の自由度が向上するとともに、設置位置の変更にも容易に対応することができる。しかも、各モジュールＡ，Ｄのモジュール本体は、天井と壁とが交わる境界部分に取着されるので、天井の中央に設置される場合のようにモジュール本体が目立つことはなく、天井の隅や角部などにモジュール本体を設置することで、モジュール本体を目立ちにくくして、室内の美観を損なうことがない。
【００４６】
また天井配線モジュールＡおよび中継配線用モジュールＤは、長手方向（連設方向）の一端側に嵌合凸部２Ａ，２Ｂを形成して、各嵌合凸部２Ａ，２Ｂに接続端子４Ａ，５Ａを配設するとともに、他端側に嵌合凹部３Ａ，３Ｂを形成して、各嵌合凹部３Ａ，３Ｂ内に接続端子４Ｂ，５Ｂを形成してあり、接続端子４Ａ，４Ｂからなる電力用コネクタと、接続端子５Ａ，５Ｂからなる情報用コネクタとを天井配線モジュールＡの長手方向両端部に設けているので、複数の天井配線モジュールＡと中継配線用モジュールＤとを連結する順番を容易に入れ替えることができ、レイアウト変更などによって機能モジュールＣの位置を変更したい場合にも各モジュールＡ，Ｄの接続位置を入れ替えることで、機能装置部（機能モジュールＣ）を所望の位置に配置することができる。またゲート装置Ｂに接続する機能モジュールＣを交換することで、所望の機能を有する機能モジュールを使用することができ、機能の追加や拡張にも容易に対応できる。
【００４７】
ところで、上述の天井配線システムは図９に示す配線システムの一部を構成するものである。この配線システムでは、建物内の適所において１乃至複数のスイッチボックス９０を埋込配設してあり、始端のスイッチボックス９０に対しては、屋外より配線盤７０内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックス９０の間は壁面内に先行配線された電力線Ｌ１と情報線Ｌ２とを送り配線してある。
【００４８】
ここで、スイッチボックス９０は、例えばＪＩＳで規格化された大角形の１個モジュール寸法の埋込型の配線器具を３個取り付けることができる１連の取付枠（図示せず）に対応して規格化されたもので、図９に示すように配線盤７０又は他のスイッチボックス９０から送り配線されてくる電力線Ｌ１及び情報線Ｌ２を外部から導入するとともに、他のスイッチボックス９０へ送り配線するための電力線Ｌ１及び情報線Ｌ２を外部へ導出している。なお、スイッチボックス９０には、図９に示すように室内の天井１００に設けられるものと、壁１０１に設けられるものと、床１０２に設けられるものとがある。
【００４９】
そして、各スイッチボックス９０の内部には、電力線Ｌ１を外部の電路に接続するための電力路接続口８１と、情報線Ｌ２を外部の情報路に接続するための情報路接続口８２とを備えたゲート装置８０が取付枠（図示せず）を用いて埋込配設されており、このゲート装置８０に対して各種の機能を有する機能モジュール５０ａ〜５０ｅを接続すると、ゲート装置８０を介して機能モジュール５０ａ〜５０ｅが電力線Ｌ１および情報線Ｌ２に接続され、電力線Ｌ１から電力の供給を受けるとともに、情報線Ｌ２を通じて情報信号の授受を行えるようになっている。ここで、天井１００に設けたゲート装置８０に接続する機能モジュール５０としては、照明器具の引掛プラグに対応した引掛栓刃接続部９１を持つ引掛シーリングローゼット型の機能モジュール５０ａや、ＢＧＭ等のスピーカＳＰを持つ機能モジュール５０ｂ等がある。また壁１０１に設けたゲート装置８０に接続する機能モジュール５０としては、照明器具などをオン／オフ操作するスイッチＳＷを備えた機能モジュール５０ｃや、空調機器のコントローラ等の操作器型機能モジュール（図示せず）、モニタ装置Ｍを備えた機能モジュール５０ｄ等がある。さらに床１０２に設けたゲート装置８０に接続する機能モジュール５０としては、電源プラグ用のコンセント部９２を備えた機能モジュール５０ｅや、スピーカＳＰを備えた機能モジュール５０ｂ等がある。
【００５０】
なお機能モジュール５０として照明用のランプを備えた照明器具型のモジュールを用いても良く、天井の隅や角部に照明用のランプを配置して、室内照明を行うこともできる。
【００５１】
（実施形態２）
本発明の実施形態２を図１０〜図１２に基づいて説明する。上述の実施形態１では、モジュール本体１の内部に、電力線Ｌ１と情報線Ｌ２との２本の電線を収納してあるが、本実施形態ではモジュール本体１に電力線Ｌ１のみを収納し、電力線Ｌ１を通じて電力線搬送通信により情報信号を伝送しており、電力線Ｌ１で情報線Ｌ２を兼用することによって、電線の本数を減らして配線施工を簡略化することができる。尚、電力線搬送通信により情報信号を伝送する点以外は実施形態１と同様であるので、共通する構成要素には同一の符号を付して、その説明は省略する。
【００５２】
図１０は天井配線モジュールＡのモジュール本体１を示す外観斜視図であり、モジュール本体１の内部には電力線Ｌ１のみが長手方向に沿って収納してある。そして、モジュール本体１の長手方向（連設方向）における一端側には角柱状の嵌合凸部２Ａを突設し、嵌合凸部２Ａには電力線Ｌ１にそれぞれ電気的に接続された接続端子４Ａを配置してある（図１１参照）。またモジュール本体１の長手方向他端側には、別のモジュール本体１に設けた上記嵌合凸部２Ａが凹凸嵌合する嵌合凹部３Ａが設けられ、嵌合凹部３Ａの内部には電力線Ｌ１にそれぞれ電気的に接続されるとともに、嵌合凸部２Ａの接続端子４Ａに接続される接続端子４Ｂを配設してある。ここに、嵌合凸部２Ａ及び嵌合凹部３Ａの形状、寸法および内部に設けた接続端子４Ａ，４Ｂの配列はシステムとして定形化（規格化）してあるので、複数本のモジュール本体１を長手方向に連結して使用することができ、また連結して使用されている複数本のモジュール本体１の順番を入れ替えることも可能である。
【００５３】
さらに、モジュール本体１の長手方向略中間部には横長の開口１ａが設けられ、開口１ａに臨ませてゲート装置Ｂを収納してある。このゲート装置Ｂは、モジュール本体１内に収納された電線（電力線Ｌ１）を機能モジュールＣに接続するためのもので、ゲート装置Ｂの前面（開口１ａから露出する面）には、電力線Ｌ１と電気的に接続されている接触部を備えた電力路接続口６Ａが設けられている。
【００５４】
一方、機能モジュールＣでは、器体７の背面部にゲート装置Ｂの電力路接続口６Ａに対応して被接続部たるコネクタ部１０Ａを設けてあり、実施形態１と同様の手順で器体７をモジュール本体１に取り付けると、機能モジュールＣのコネクタ部１０Ａが電力路接続口６Ａに接続されて、機能モジュールＣがゲート装置Ｂを介して電力線Ｌ１に電気的に接続されるようになっている。
【００５５】
次に機能モジュールＣの回路構成を図１２に基づいて説明する。この機能モジュールＣは、コネクタ部１０Ａを介して電力線Ｌ１に接続され、電力線Ｌ１を介して供給される商用電源を整流、平滑することにより、所定電圧値の直流電圧からなる内部回路の動作電源＋Ｖを得るＡＣ／ＤＣコンバータ部１２と、コネクタ部１０Ａを介して電力線Ｌ１に接続され、電力線Ｌ１を通じて電力線搬送通信により情報信号を授受するＰＬＣモデム（電力線搬送通信手段）１７と、ＰＬＣモデム１７と演算処理部１４との間で情報信号の受け渡しを行う送受信部１３と、機能モジュールＣの種別に対応した機能を有する機能部１６と、送受信部１３が受信した情報信号を取り込んで機能部１６に対応したデータ信号を生成しＩ／Ｏインターフェース１５を通じて機能部１６に伝送する機能や、機能部１６から送られてくるデータ信号をＩ／Ｏインタフェース１５を通じて取り込み、送信先へ情報信号として送信させるための処理を行う演算処理部１４とを備えており、機能モジュールＣの種類によって機能部１６の構成が異なるのである。
【００５６】
このように本実施形態では、機能装置部に電力線搬送通信手段を設けているので、モジュール本体１の内部に電力線Ｌ１のみを収納すれば良く、電力線Ｌ１が情報線Ｌ２を兼用するから、電線の数を減らして配線施工を簡略化することができる。尚、ＰＬＣモデム１７で採用する電力線搬送の変調方式としては広帯域スペクトラム拡散方式、マルチキャリア方式、ＯＦＤＭ方式等各種方式の何れでも良いので、ここでは特に説明はしない。
【図面の簡単な説明】
【００５７】
【図１】実施形態１の天井配線モジュールの分解斜視図である。
【図２】同上に機能モジュールを取着する前の状態を示し、（ａ）は正面図、（ｂ）は右側面図である。
【図３】同上に機能モジュールを取着した状態の正面図である。
【図４】同上の一部省略せるブロック図である。
【図５】（ａ）は同上に用いる機能モジュールのブロック図、（ｂ）（ｃ）は機能モジュールの要部ブロック図である。
【図６】（ａ）（ｂ）は同上に用いる機能モジュールの外観斜視図である。
【図７】同上を用いた配線システムの施工状態の説明図である。
【図８】（ａ）は同上に用いるコンセント接続モジュールの外観図、（ｂ）は同上に用いる連結モジュールの外観斜視図、（ｃ）は同上に用いる端末モジュールの外観斜視図である。
【図９】同上を用いた配線システムのシステム構成図である。
【図１０】実施形態２の天井配線モジュールを構成するモジュール本体の外観斜視図である。
【図１１】同上の一部省略せるブロック図である。
【図１２】同上に用いる機能モジュールのブロック図である。
【符号の説明】
【００５８】
１  モジュール本体
１ａ  開口
６Ａ  電力路接続口
６Ｂ  情報路接続口
Ａ  天井配線モジュール
Ｂ  ゲート装置
Ｃ  機能モジュール
Ｌ１  電力線
Ｌ２  情報線
【図１】
0004760363.tif 000002
【図２】
0004760363.tif 000003
【図３】
0004760363.tif 000004
【図４】
0004760363.tif 000005
【図５】
0004760363.tif 000006
【図６】
0004760363.tif 000007
【図７】
0004760363.tif 000008
【図８】
0004760363.tif 000009
【図９】
0004760363.tif 000010
【図１０】
0004760363.tif 000011
【図１１】
0004760363.tif 000012
【図１２】
0004760363.tif 000013